(57)【特許請求の範囲】
【請求項１】
表面に任意の表示パターンを有する表示部を含む包装対象物と、
少なくとも一部に透明部を有し、包装対象物の表示部が透明部の少なくとも一部に密着するように包装対象物を収納する包装ケース体と、
包装ケース体の透明部に対応する部分に配置され、透明部に密着する表示部から予め任意に設定された深さの虚像面上に３次元模様の虚像を形成する３次元模様形成部と、
を備え、３次元模様の手前に包装対象物の表示部が浮き出て視認されることを特徴とする包装品。
【請求項２】
請求項１に記載の包装品において、
包装ケース体の外側に設けられる熱収縮性のシュリンクフィルムを備え、
３次元模様形成部は、包装ケース体とシュリンクフィルムとの間に挟みこまれて配置されることを特徴とする包装品。
【請求項３】
請求項１に記載の包装品において、
３次元模様形成部は、
包装ケース体の透明部に形成された模様部と、
模様部と協働して３次元模様の虚像を形成するレンズ部を有するフィルム体であって、包装ケース体の透明部に貼付されるレンズフィルム体と、
を含むことを特徴とする包装品。
【請求項４】
表面に任意の表示パターンを有する表示部を含む包装対象物と、
少なくとも一部に透明部を有し、包装対象物を収納する包装ケース体と、
包装ケース体の透明部に対応する部分に配置され、透明部から予め任意に設定された深さの虚像面上に３次元模様の虚像を形成する３次元模様形成部と、
包装ケース体の内部に配置されて包装対象物を保持し、包装ケース体の透明部と包装対象物の表示部との間隔を規定して、３次元模様の虚像面と表示部との間の位置関係を設定する保持体と、
を備えることを特徴とする包装品。
【発明の詳細な説明】
【技術分野】
【０００１】
本発明は包装品に係り、特に、包装対象物に３次元模様を組み合わせる包装品に関する。
【背景技術】
【０００２】
包装ケースに３次元模様を浮かび上がらせることで、斬新な意匠とすることが行われる。３次元模様を浮かび上がらせる方法としては、レンチキュラーレンズ、フレネルレンズ、平凸レンズ等のレンズ体を通して模様を視認する方法、メッシュとモアレパターンを組み合わせて模様を視認する方法等が知られている。
【０００３】
例えば、特許文献１には、コンパクトディスク等の包装容器として、容器本体の蓋板の表面にレンチキュラーレンズを一体成形または貼着し、蓋板の内側面に合成印刷物を装着し、レンチキュラーレンズで透視することにより合成印刷物が立体感を呈するものが開示されている。
【０００４】
また、特許文献２には、レンズシートと背景シートとからなる光学シートの上に、別の透明シートに絵柄を印刷したものを配置するディスプレイが開示されている。ここでは、レンズシートにおけるレンズの並進対称配置の間隔Ｄと、背景シートにおける模様素子の並進対称配置の間隔ｄとを異ならせ、また、レンズの厚さをｔとすると、背景シートの模様素子は｛（Ｄ−ｄ）／Ｄ｝＝１／ｒ倍に拡大されて、レンズシートの表面からｔ／ｒの深さに見え、透明シートの絵柄の背景となることが述べられている。
【０００５】
【特許文献１】特開平６−３２３８８号公報
【特許文献２】特開２００１−２６５２７４号公報
【発明の開示】
【発明が解決しようとする課題】
【０００６】
このように、３次元模様を浮かび上がらせることで、包装ケースの意匠等を斬新なものとし、商品価値を向上させることができる。模様を３次元的に浮かび上がらせる先行技術の多くは、特許文献１のように、１種類の模様を３次元的に浮かび上がらせるものである。特許文献２は、３次元的に沈ませた模様と、別の絵柄とを組み合わせて、別の絵柄の背景を３次元的な模様とすることが述べられている。
【０００７】
これらの先行技術によって包装ケースそのものの意匠性を向上させることができる。これを発展させて、包装ケースの中に収容される包装対象物の表面の文字等の表示を浮かび上がらせることができれば、包装品としての商品価値が向上する。
【０００８】
本発明は、包装ケース体に収納される包装対象物の表面の表示を浮かび上がらせることができる包装品を提供することである。
【課題を解決するための手段】
【０００９】
本発明に係る包装品は、表面に任意の表示パターンを有する表示部を含む包装対象物と、少なくとも一部に透明部を有し、包装対象物の表示部が透明部の少なくとも一部に密着するように包装対象物を収納する包装ケース体と、包装ケース体の透明部に対応する部分に配置され、透明部に密着する表示部から予め任意に設定された深さの虚像面上に３次元模様の虚像を形成する３次元模様形成部と、を備え、３次元模様の手前に包装対象物の表示部が浮き出て視認されることを特徴とする。
【００１０】
また、本発明に係る包装品において、包装ケース体の外側に設けられる熱収縮性のシュリンクフィルムを備え、３次元模様形成部は、包装ケース体とシュリンクフィルムとの間に挟みこまれて配置されることが好ましい。
【００１１】
また、本発明に係る包装品において、３次元模様形成部は、包装ケース体の透明部に形成された模様部と、模様部と協働して３次元模様の虚像を形成するレンズ部を有するフィルム体であって、包装ケース体の透明部に貼付されるレンズフィルム体と、を含むことが好ましい。
【００１２】
また、本発明に係る包装品は、表面に任意の表示パターンを有する表示部を含む包装対象物と、少なくとも一部に透明部を有し、包装対象物を収納する包装ケース体と、包装ケース体の透明部に対応する部分に配置され、透明部から予め任意に設定された深さの虚像面上に３次元模様の虚像を形成する３次元模様形成部と、包装ケース体の内部に配置されて包装対象物を保持し、包装ケース体の透明部と包装対象物の表示部との間隔を規定して、３次元模様の虚像面と表示部との間の位置関係を設定する保持体と、を備えることを特徴とする。
【発明の効果】
【００１４】
上記構成の少なくとも１つにより、包装品は、包装ケース体に包装対象物が収納され、包装ケース体の透明部に包装対象物の表示部が密着し、この透明部に予め任意に設定された深さの虚像面上に３次元模様の虚像を形成する３次元模様形成部が配置され、３次元模様の手前に包装対象物の表示部が浮き出て視認される。このようにして、包装ケース体に収納される包装対象物の表面の表示を浮かび上がらせることができる。
【００１５】
また、包装品において、包装ケース体の外側に熱収縮性のシュリンクフィルムが設けられ、３次元模様形成部は、包装ケース体とシュリンクフィルムとの間に挟みこまれて配置される。これにより、３次元模様形成部の配置を簡単に行うことができる。
【００１６】
また、包装品において、包装ケース体の透明部に模様部が形成され、これとは別に、模様部と協働して３次元模様の虚像を形成するレンズフィルム体が用意されて、包装ケース体の透明部に貼付される。したがって、様々な模様部に対し、共通のレンズフィルム体を用いることができ、包装ケース体の種類を増やすことが容易となり、包装対象物に合わせた包装ケース体の選択が容易となる。
【００１７】
また、包装品は、包装ケース体に保持体を介して包装対象物が収納され、包装ケース体の透明部と包装対象物の表示部との間の間隔を規定する。そして、この透明部に予め任意に設定された深さの虚像面上に３次元模様の虚像を形成する３次元模様形成部が配置され、保持体によって規定される間隔に対応して、３次元模様の前後に包装対象物の表示部が浮き出て視認される。
【００１８】
また、包装品は、包装対象物の表示部を含む部分に３次元模様形成フィルム体が配置される。これにより、包装ケース体を要せずに、３次元模様の手前に包装対象物の表示部が浮き出て視認される。
【発明を実施するための最良の形態】
【００１９】
以下に図面を用いて本発明に係る実施の形態につき、詳細に説明する。以下では、３次元模様を形成するために、レンズ体を通して模様を視認する方法を用いるものとして説明するが、これ以外の方法、例えば、メッシュとモアレパターンを組み合わせて模様を視認する方法を用いてもよい。また、以下では、並進配置される平凸レンズを用いて模様を視認するものとして説明するが、これ以外の構造のレンズ体を用いてもよい。例えば、半円柱状のレンチキュラーレンズを用いるものとしてもよい。なお、レンズ体等と模様との間の位置関係、つまり浮き上がり深さ等は、予め目標とする虚像位置を与えて、これらの光学的視認方式の相違に応じて設計することができる。
【００２０】
また、以下では、包装対象物として、円筒形状のプラスチック瓶を有するものについて述べるが、これは説明のための一例であって、これ以外の形状、材質を有するものであっても、表面に文字等の表示を有するものであればよい。例えば、断面が楕円形状、多角形状等であってもよく、球形の外形を有するものであってもよい。材料として、ガラス、金属、木材、紙等であってもよい。また、包装対象物の表面には商品名等の意匠文字が表示されているものとして説明するが、文字以外の表示、例えば、図柄、模様等であっても構わない。また、エンボスのように、立体的な表示であってもよい。
【実施例１】
【００２１】
図１は、包装対象物を包装ケース体に収納し、包装ケース体に３次元模様形成部を貼り付けて、包装対象物の表面に印刷された文字を３次元模様に対して浮き上がらせるようにした包装品１０の構成を示す図である。
【００２２】
図１で示されている包装対象物２０は、化粧水が入っているプラスチック瓶である。この包装対象物２０は、略円筒形状の筒部と、その頭部にねじ込まれて設けられる蓋部とから構成され、蓋部を筒部にしっかりとねじ込むことで、筒部の内部に化粧水を入れて漏れないようにする容器となる。なお、蓋部には、プッシュ式のノズルが設けられ、蓋部を筒部に対し押し込む操作によってノズルの先から化粧水が出る仕組みとなっている。
【００２３】
包装対象物２０は、プラスチック材料で構成され、意匠を考慮して滑らかで手で持ちやすい外形を有し、全体として乳白色の不透明な色を有する。この乳白色の表面の上に、製品名を示す意匠文字２２が表示され、図１では示されていないが、その他の成分表、使用法、製造元等の商品の表示に関する事項が印刷されている。
【００２４】
かかる包装対象物２０の容器としては、適当な色を有するプラスチック材料を成形したものを用いることができる。プラスチック材料としては、容器の形状を形成するのに適したもの、容器の内容物に適合したものを用いることができる。そのようなプラスチック材料としては、ポリエチレンテレフタレート等のポリエステル系樹脂、ポリプロピレンやポリエチレン等のポリオレフィン系樹脂、ポリスチレン、ポリ塩化ビニール等を、用途に合わせて選択したものを用いることができる。色としては、意匠文字２２および後述する３次元模様を引き立たせるために、外光を吸収せずにほとんど反射する背景色であることが好ましい。図１では、乳白色の不透明な色が示されているが、光透過率が適当に少ない値の範囲、例えば、０％から３０％程度となる有色または無色プラスチック材料であればよく、乳白色以外の不透明色であってもよい。
【００２５】
意匠文字２２は、図１では「ＡＢＣＤ」として表示されているが、包装対象物２０の商品名、商標、キャッチコピー等の目を引く表現の文字、模様等であってもよい。意匠文字の色は、包装対象物２０である容器の色に対し、目立つ色であることが好ましい。上記の例で、容器の色が乳白色であるときは、例えば、黒色等が望ましいが、勿論それ以外の色であってもよい。
【００２６】
図１に示される包装ケース体３０は、包装対象物２０であるプラスチック瓶を内部で動かないように保持しながら収納する機能を有する直方体形状の箱である。図１では、直方体の上面側が開けられており、そして、包装対象物２０は、かなりきっちりとした状態で包装ケース体３０に収納され、包装対象物２０の外表面が包装ケース体３０の内面に密着して配置されている様子が示されている。包装ケース体３０は、包装対象物２０を包装する化粧箱でもあるので、その表面に、内容物である包装対象物２０を示す印刷表示がなされるが、図１では、その表示を省略してある。包装ケース体３０は、透明部３２を有する。図１においては、透明部３２を除く部分について斜線を付して示した。この斜線部分は、例えば、青色、橙色、白色等の不透明色、あるいは半透明色が印刷されているものとすることができる。
【００２７】
透明部３２は、包装ケース体３０に包装対象物２０を安定した保持状態で収納したときに、意匠文字２２が配置される箇所に設けられる。図１の例では、直方体の箱形状の長手方向に沿って、ほぼ中央部よりやや上部のところの帯状部分が無色の透明部３２とされる。透明部３２は、意匠文字２２を包装ケース体３０の外部から視認するための部分であるので、好ましくは無色透明であることがよい。あるいは、意匠文字２２を引き立てるような透明色を有するものとしてもよい。
【００２８】
かかる包装ケース体３０としては、適当な強度を有する透明なプラスチック板材を用いて、これを適当な直方体展開形状に成形し、その成形体を折り曲げて組み立てて箱体として形成したものを用いることができる。例えば、板厚が約０．２ｍｍから約１ｍｍ、好ましくは約０．３ｍｍから約０．４ｍｍのプラスチック板材を成形し、折りまげて直方体の箱体としたものを用いることができる。そのようなプラスチック材料としては、ポリエチレンテレフタレート等のポリエステル系樹脂、ポリプロピレンやポリエチレン等のポリオレフィン系樹脂、ポリスチレン、ポリ塩化ビニール等を、用途に合わせて選択したものを用いることができる。なお、色としては、上記のように、無色透明色とし、透明部３２を除いて適当に着色印刷等を施すものとできる。
【００２９】
包装ケース体３０の透明部３２に設けられる３次元模様形成部５０は、レンズ部を通して模様部を見ることで模様を立体的に見えるようにする機能を有するフィルムである。その構成については後に詳述する。図１においては、水玉模様８０が、包装ケース体３０の表面からみて、かなり奥側、つまり、包装対象物２０の表面に配置される意匠文字２２よりも奥側に見える様子が示される。つまり、３次元模様形成部５０は、包装ケース体３０の透明部３２に密着する包装対象物２０の表示部である意匠文字２２から予め任意に設定された深さの虚像面上に、模様部の虚像を形成する機能を有する。これによって、３次元模様である水玉模様８０の手前に包装対象物２０の意匠文字２２である「ＡＢＣＤ」の文字が浮き出て視認される。
【００３０】
図２は、平面図において、包装品１０の各構成要素を分離して示す図である。ここで示されるように、包装ケース体３０の平面図は、薄板で４辺が構成される正方形枠となる。包装対象物２０の平面図は、円形断面で示される。３次元模様形成部５０は、平面図において展開すると、包装ケース体３０の正方形枠の３辺の長さと等しい長さを有する。つまり、３次元模様形成部５０を包装ケース体３０の周囲に巻き付けて配置したとき、３辺をちょうど覆うような長さを有する。この長さは、図１において、水玉模様８０を背景にして意匠文字２２を浮かび上がらせて視認するには、包装ケース体３０の正面から見て３辺で十分であることから、このように設定される。勿論これを包装ケース体３０の４辺の長さとして、包装ケース体３０をぐるりと３次元模様形成部５０で覆うものとしてもよい。
【００３１】
図２において、包装対象物２０と包装ケース体３０の寸法関係を説明するために、包装対象物２０に重ねて包装ケース体３０の形状を破線で示した。これから分かるように、包装対象物２０の円形の直径は、包装ケース体３０の正方形枠の向かい合う辺の間隔、つまり、包装ケース体３０の内側の向かい合う辺の間の距離よりも大きく設定される。換言すれば、包装ケース体３０は、包装対象物２０の円形断面を囲む４辺を有する矩形枠体を含む直方体であって、包装対象物２０を収納する前の状態のときの向かい合う辺の間の間隔が包装対象物２０の円形断面の直径よりも短く設定される。これによって、包装対象物２０が包装ケース体３０に収納されたとき、包装対象物２０の外表面が包装ケース体３０の内面に密着して配置される。
【００３２】
図３は、包装ケース体３０に包装対象物２０が収納されたときに、３次元模様形成部５０によって形成される水玉模様８０の虚像位置と、意匠文字２２の位置の関係を説明する模式図である。ここでは、図１で説明した透明部３２において水平面、すなわち、包装対象物２０の軸方向に垂直な面で切断した断面図が示されている。上記のように、包装ケース体３０の内のり寸法は、包装対象物２０の外形よりも小さいので、包装対象物２０が内部に収容されるとき、包装ケース体３０は、矩形枠形状がいくらか変形して、包装対象物２０の円形断面に近づいた形状となっている。そして、意匠文字２２の前方において矢印で示されるように、ユーザが両眼で３次元模様形成部５０を見るとき、その模様部である水玉模様８０が拡大され、意匠文字２２の背後に虚像として形成される。これによって、上記のように、水玉模様８０の手前に包装対象物２０の意匠文字２２である「ＡＢＣＤ」の文字が浮き出て、３次元のように視認される。
【００３３】
次に３次元模様形成部５０について説明する。図４は、３次元模様形成部５０の厚さ方向についての断面図である。３次元模様形成部５０は、複数のフィルム層の積層体である。中核となるのは、透明基体フィルム５２の層で、その両側にそれぞれいくつかの層が積層される。透明基体フィルム５２としては、例えば、厚さが約０．０２ｍｍから約０．５ｍｍ程度の透明プラスチックフィルム等を用いることができる。
【００３４】
透明基体フィルム５２の層の一方側には、印刷技術を用いて、模様部５４が２次元的に一定の配置ピッチで２次元的に並進配置され、その上に白色等の適当な背景色を有した印刷層が設けられる。なお、必要があれば、模様部５４の並進配置の一部に重畳して、他の印刷部分５６を設けることができる。この印刷部分５６は並進配置された模様でなく、３次元模様を形成しないので、例えば、一般的な記述的文字、平面的模様を表示することができる。ここでは、模様部５４は、水玉模様であり、他の印刷部分５６は、それ以外の適当なマーク模様等である。模様部５４を含む印刷層５８は、例えば、厚さを約０．２ｍｍから約０．４ｍｍ程度のインク層とすることができる。色は、例えば、模様部５４を透明水色、印刷層５８を不透明白色とすることができる。
【００３５】
なお、印刷層５８の外側に、粘着層６２が形成される。この粘着層６２は、３次元模様形成部５０を、図１、図３で説明したように、包装ケース体３０の透明部３２に位置決めして配置するときの固定手段として用いられる。また、３次元模様形成部５０を包装ケース体に貼り付ける前の取り扱い性のため、粘着層６２を覆ってセパレータフィルムを設けるものとすることが好ましい。
【００３６】
透明基体フィルム５２の層の他方側、すなわち、透明基体フィルム５２を挟んで模様部５４を含む印刷層５８の反対側に、レンズ層６０が設けられる。レンズ層６０は、平凸レンズを、模様部５４における並進配置のピッチと同じピッチで、２次元的に並進したプラスチックレンズ層である。なお、レンズ層６０の並進配置ピッチと模様部５４の並進配置ピッチとを異ならせるものとしてもよい。レンズ層６０は、ＵＶ硬化型の透明プラスチックを用い、転写成形技術によって転写マスターと呼ばれる型に形成された凹レンズ形状を転写して得ることができる。レンズ層６０の透明プラスチック材料としては、厚さが約０．３ｍｍから約０．５ｍｍのＵＶ硬化型透明樹脂等を用いることができる。
【００３７】
模様部５４と平凸レンズの並進配置のピッチ、平凸レンズの曲率等によって、レンズ層６０を通して模様部５４を見たときに形成される模様部５４の虚像位置が定められる。平凸レンズの形状を半球状とするときは、平凸レンズの曲率は、レンズ層６０の厚みに関係するものとなるので、模様部５４の虚像位置は、模様部５４の印刷パターン、レンズ層６０の厚さ及び平凸レンズの配置によって設定することができる。
【００３８】
図５は、図１において、包装対象物２０の軸方向に垂直な断面であって、透明部３２を通る断面についての拡大断面図である。以下では、図１から図４と同様の要素には同一の符号を付し、詳細な説明を省略する。図５では、紙面の下側にユーザの両眼があるものとして、紙面の下側から上側に向かって、ユーザが包装ケース体３０に貼り付けられた３次元模様形成部５０を通して包装対象物２０を見るときの様子を示してある。
【００３９】
ここでは、紙面の下側から、３次元模様形成部５０、包装ケース体３０、包装対象物２０が配置されることになる。なお、包装ケース体３０がプラスチックの単層で示されているが、複層としてもよい。包装対象物２０は、筒部のプラスチック層２４の表面に印刷された意匠文字２２が包装ケース体３０の内側面に密着する形で示されている。また、プラスチック層２４の内側に筒部に収容されている内容物である化粧水２６が示されている。
【００４０】
ユーザが３次元模様形成部５０のレンズ層６０を通して模様部５４を見ると、図５でＡとして示された位置にある模様部５４の虚像が、Ｂの位置の虚像面上に形成される。Ｂの虚像面の位置は、レンズ層６０の平凸レンズの曲率、平凸レンズと模様部５４との間の距離、平凸レンズと模様部５４の並進配置ピッチ等によって定められる。
【００４１】
ここで、意匠文字２２の位置が、Ｂの位置より手前側の位置、換言すれば、Ａの位置とＢの位置との間の位置となるように、Ｂの位置を設定すると、Ｂの位置に虚像が形成される水玉模様８０の手前に意匠文字２２がユーザによって視認される。これによって、包装対象物２０の意匠文字が、水玉模様８０の手前に浮き上がって視認されることになる。このようにして、包装ケース体３０に収納される包装対象物２０の表面の表示である意匠文字２２を背景の水玉模様８０の手前に浮かび上がらせることができる。
【００４２】
上記では、３次元模様部は、模様部とレンズ層とを備えている１つの複合シートであるとして説明したが、模様部を包装ケース体に印刷するものとし、レンズ層を有するレンズフィルム体を包装ケース体の模様部の部分に対応させて配置するものとしてもよい。以下では、図１から図５と同様の要素には同一の符号を付し、詳細な説明を省略する。また、以下では、図１から図５の符号を用いて説明する。
【００４３】
図６は、図５と同様な方法で包装品を切断した一部断面図である。ここでは、包装ケース体４０が、その表面に並進配置された模様部３４を有しており、レンズフィルム体７０が模様部３４に位置決めされて、包装ケース体４０の表面に取り付けられる例が示されている。レンズフィルム体７０は、レンズ層６０と粘着層６２とから構成される。レンズ層６０は、模様部３４の並進配置のピッチと同じピッチで並進配置される複数の平凸レンズを含む。上記のように、模様部３４の並進配置ピッチと平凸レンズの並進配置ピッチとを異なるものとしてもよい。レンズフィルム体７０は、そのレンズ層６０によって、模様部３４と協働して、３次元模様の虚像を形成する機能を有する機能フィルムである。ここで、レンズ層６０は、ＵＶ硬化型樹脂フィルムに上記の転写マスターと呼ばれる型を適用して形成することができる。また、粘着層６２には、適当な感圧性糊材を用いることができる。
【００４４】
図６の構造においても、ユーザがレンズフィルム体７０のレンズ層６０を通して模様部３４を見ると、図６でＡとして示された位置にある模様部３４の虚像が、Ｂの虚像面の位置に形成される。そして、意匠文字２２の位置が、Ｂの位置より手前側の位置、換言すれば、Ａの位置とＢの位置との間の位置となるように、Ｂの位置を設定すると、Ｂの位置に虚像が形成される水玉模様８０の手前に意匠文字２２がユーザによって視認される。これによって、包装対象物２０の意匠文字が、水玉模様８０の手前に浮き上がって視認されることになる。
【００４５】
図６の構成をとることで、複数種類の模様部３４に対し、レンズフィルム体７０を共通化して用いることができる。これにより、様々な模様部３４に対し、共通のレンズフィルム体７０を用いることができ、包装ケース体４０の種類を増やすことが容易となり、包装対象物２０に合わせた包装ケース体４０の選択が容易となる。
【００４６】
上記では、３次元模様形成部、あるいはレンズフィルム体を、包装ケース体に配置するのに粘着層を用いるものとして説明した。ここで、熱収縮性のシュリンクフィルムを用いることで、粘着層を省略することができる。以下では、図１から図６と同様の要素には同一の符号を付し、詳細な説明を省略する。また、以下では、図１から図６の符号を用いて説明する。
【００４７】
図７は、図５、図６と同様な方法で包装品を切断した一部断面図である。ここでは、図６で説明したレンズフィルム体７０の粘着層６２を廃止し、レンズ層６０のみのフィルム体とし、これを模様部３４が印刷された包装ケース体４０の表面に位置決めして置き、その外側をシュリンクフィルム７２で覆う構成の例が示されている。ここで、シュリンクフィルム７２は、異方性の熱収縮率を有するフィルムで、適当な温度に加熱することで１軸方向に例えば数十％収縮するフィルムである。したがって、まず、包装ケース体４０の模様部３４の並進配置方向に合わせて、レンズ層６０のみで粘着層のないフィルム体を位置決めする。そして、その上を熱収縮前のシュリンクフィルムで覆い、適当な温度に加熱する。これによって、収縮したシュリンクフィルム７２の収縮力によって、レンズ層６０のみのフィルム層が、しっかりと包装ケース体４０の所定の位置に固定される。このようにして、シュリンクフィルム７２を用いることで、粘着層を省略することができる。
【００４８】
図７では、模様部３４は包装ケース体４０に印刷されるものとしたが、包装ケース体４０に印刷しない方法もある。その場合には、図４、図６で説明した３次元模様形成部５０において粘着層６２を省略した粘着層なし３次元模様形成部を用いる。すなわち、粘着層なし３次元模様形成部を、包装ケース体の透明部に置き、その上を熱収縮前のシュリンクフィルムで覆い、適当な温度に加熱する。これによって、収縮したシュリンクフィルムの収縮力によって、粘着層なし３次元模様形成部のフィルムが、しっかりと包装ケース体４０の所定の位置に固定される。このようにして、シュリンクフィルムを用いることで、粘着層を省略することができる。
【実施例２】
【００４９】
上記では、包装対象物を包装ケース体のなかで動かないように固定するため、直方体の包装ケース体の内寸法を包装対象物の外形よりやや小さくするものとして説明した。ここでは、プラスチック直方体の形状の変形によって、包装対象物をしっかりと押さえ込んで固定しており、特別な固定具を用いていない。
【００５０】
このように、包装ケース体の形状の変形を利用して包装対象物を固定し、包装対象物の表面に表示された意匠文字等の表示部分を包装ケース体の透明部に密着させることができる。包装ケース体は必ずしも直方体でなくても、この方法は可能である。図８は、包装ケース体を２辺枠体として、その２辺によって向かい合う面を広げて収納空間を形成し、その中に包装対象物を保持して収納する例を示す図である。以下では、図１と共通の要素には同一の符号を付し、詳細な説明を省略する。
【００５１】
図８に示す包装品１００は、図１で説明したのと同じ包装対象物２０と、これを収納する包装ケース体１０２を含んで構成される。包装ケース体１０２は、包装対象物２０の円形断面を挟む２辺枠体を含む形状を有し、包装対象物２０を収納する前の状態のときの２辺枠体の辺の長さが包装対象物の円形断面の直径も長いものである。包装対象物２０を収納する前は、封筒状の形状であり、その封筒状の形状を広げることで、その広げた空間に包装対象物を収納できるものである。
【００５２】
包装ケース体１０２は、透明プラスチック材料で構成される。そして、包装対象物２０を収納したときに、その意匠文字２２が位置する部分を含んで、３次元模様形成部５０が取り付けられる。３次元模様形成部５０は、図４、図６で説明した構成を有するシート状のもので裏面に粘着層を有するものを用いることができる。
【００５３】
図９は、図３と同様な切断面で切断して示される断面図で、包装ケース体１０２に包装対象物２０が収納されたときに、３次元模様形成部５０によって形成される水玉模様８０の虚像位置と、意匠文字２２の位置の関係を説明する模式図である。上記のように、封筒状の包装ケース体１０２を広げて包装対象物２０を収納するので、包装ケース体１０２の弾力によって、２辺枠形状がいくらか変形して、包装対象物２０の外形が包装ケース体１０２の内面に密着している。そして、意匠文字２２の前方において矢印で示されるように、ユーザが両眼で３次元模様形成部５０を見るとき、その模様部である水玉模様８０が拡大され、意匠文字２２の背後に虚像として形成される。これによって、上記のように、水玉模様８０の手前に包装対象物２０の意匠文字２２である「ＡＢＣＤ」の文字が浮き出て、３次元のように視認される。
【００５４】
３次元模様形成部５０を包装ケース体１０２に取り付けるには、粘着層を用いた貼り付けの外に、図６、図７に関連して説明したいくつかの方法を用いることができる。すなわち、模様部を包装ケース体１０２に設けることができ、またシュリンクフィルムを用いて粘着層を有しない３次元模様形成部あるいはレンズ層のフィルム等を包装ケース体１０２に固定することもできる。
【実施例３】
【００５５】
上記では、粘着層を用いずに３次元模様形成部を包装ケース体に取り付けるには、包装ケース体の構造を工夫して行うことができる。以下では、図１と同様の要素には同一の符号を付して詳細な説明を省略する。
【００５６】
図１０は、包装ケース体９２を、一部に二重構造を有し、その二重構造の中に３次元模様形成部５０を含むラベル９６を挟み込む包装品９０の例を示す図である。包装品９０において、包装対象物２０を収納する包装ケース体９２は、透明な材料で形成される箱体と、フラップ部９４とを有している。箱体は、図１の包装ケース体３０と同じ構造で、例えば、全体が透明プラスチックで形成される。フラップ部９４は、箱体の外側に開閉自由に取り付けられる透明な折れ曲がり部材で、閉じた状態のときは、箱体と一体となって方向ケース体９２を形成する。
【００５７】
ラベル９６は、包装ケース体９２のフラップ部９４が開いているときに、箱体とフラップ部９４との間に挿入配置され、フラップ部９４を閉じることで、箱体とフラップ部９４との間に挟みこまれて保持される表示ラベルである。ラベル９６は、包装ケース体９２の１つの面に対応する部分に３次元模様形成部５０が設けられ、その面の隣の面に対応する部分に、通常の印刷等で表示された成分、発売元等を示す一般表示部９８が設けられる。
【００５８】
このように、包装ケース体９２の箱体と一体化するフラップ部９４を用いて、ラベル９６を挟み込むようにすることで、包装ケース体９２を汎用のものとし、製品によってラベル９６のみを変更して、異なる包装対象物２０に対応した包装品９０とすることができる。
【実施例４】
【００５９】
上記では、包装対象物の外形が包装ケース体の内面に密着するものとして説明した。これとは別に、包装ケース体に、包装対象物を保持する保持体を設けることで、包装対象物の意匠文字の位置と、３次元模様の虚像面の位置との関係を保持体の構造、寸法によって変化させることができる。以下では、図１と同様の要素には同一の符号を用い、詳細な説明を省略する。
【００６０】
図１１は、包装ケース体の内部に保持体を設けて包装対象物を収納する包装品１１０の構成要素を示す図であり、図２と同様な切断面で切断した断面図で、包装ケース体１１２、保持体１１４、包装対象物２０、３次元模様形成部５０がそれぞれ示されている。この包装品１１０は、保持体１１４を用いるために包装ケース体１１２の断面が正方形枠体でなく、直方形枠体となっていることが異なるのみで、他は図１で説明した包装品１０と同じ内容である。
【００６１】
保持体１１４は、包装ケース体１１２の内部に配置されて、包装ケース体１１２と協働して包装対象物２０を動かないように固定する機能を有するプラスチック製の枠体である。保持体１１４は、その形状と寸法を工夫することで、包装対象物２０を包装ケース体１１２の内部の任意の位置に保持するようにできる。図１１の例では、包装ケース体１１２の平面図上の形状を１組の長辺と１組の短辺とからなる直方形枠体とし、保持体１１４は、その短辺に対応する長さを有する３辺で包装対象物２０を保持し、長辺と短辺との長さの差に相当するＬだけ包装対象物２０の保持位置を片側にずらすものとしてある。勿論、これ以外に、包装対象物２０を包装ケース体１１２の中央に保持するものとすることもでき、左右の配置位置をずらして包装対象物２０を保持するものとしてもよい。
【００６２】
かかる保持体１１４は、透明プラスチック材料の薄板を用い、例えば３辺をなすように折り曲げ、さらに、一部に切り込みを入れて長さＬの張り出し部１１５を形成する等の成形を行ったものを用いることができる。保持体１１４の透明プラスチック材料としては、包装ケース体１１２に用いられるものと同じものを用いることができる。なお、保持体１１４は、薄板を折り曲げて成形したものに限られず、立体成形したものとしてもよい。また、紙製で包装対象物の表示部に対応する部分を切り欠いたものとしてもよい。
【００６３】
図１２は、図３と同様な切断面で切断して示される断面図で、包装ケース体１０２に包装対象物２０が収納されたときに、３次元模様形成部５０によって形成される水玉模様８０の虚像位置と、意匠文字２２の位置の関係を説明する模式図である。上記のように、包装ケース体１１２の内部に保持体１１４を設け、これによって包装対象物２０の配置位置を定めつつ保持する。このときに、保持体１１４の長さＬの張り出し部１１５をユーザが見る方向側に配置すると、包装対象物２０の意匠文字２２の位置を包装ケース体１１２の表面からＬだけ背後側に配置するものとできる。そして、この張り出し部１１５が配置される側に対応する包装ケース体１１２の表面に、３次元模様形成部５０が配置される。
【００６４】
そして、包装対象物２０の意匠文字２２を張り出し部１１５の側に向くようにすることで、意匠文字２２の位置を、３次元模様形成部５０よりＬだけ奥側に来るように配置できる。この場合には、図３等で説明した意匠文字が包装ケース体に密着するときと比べて、模様部の虚像面が意匠文字に対し前後に配置されるものとできる。
【００６５】
例えば、図１２に示されるように、３次元模様形成部５０によって形成される水玉模様８０の位置を、ユーザから見て、意匠文字２２の手前側とすることができる。これによって、水玉模様８０の背後に意匠文字２２が沈んだように、ユーザによって視認される。このように、保持体１１４の張り出し部１１５の長さＬを変えることで、包装ケース体１１２の透明部と包装対象物２０の表示部である意匠文字との間の位置関係を規定し、水玉模様８０と意匠文字との視認関係を変化させることができる。
【００６６】
３次元模様形成部５０を包装ケース体１１２に取り付けるには、粘着層を用いた貼り付けの外に、図６、図７に関連して説明したいくつかの方法を用いることができる。すなわち、模様部を包装ケース体１１２に設けることができ、またシュリンクフィルムを用いて粘着層を有しない３次元模様形成部あるいはレンズ層のフィルム等を包装ケース体１１２に固定することもできる。
【実施例５】
【００６７】
上記では、包装品は、包装対象物を包装ケース体に収納されるものとして説明した。ここで包装ケース体を省略することができる。以下では、図１と共通の要素には同一の符号を付し、詳細な説明を省略する。
【００６８】
図１３は、包装ケース体を用いずに、包装対象物２０に３次元模様形成部５０を直接貼り付けた包装品１２０の様子を示す図である。図１５は、図３と同様な切断面で切断して示される断面図で、包装対象物２０に３次元模様形成部５０が貼り付けされたときに、３次元模様形成部５０によって形成される水玉模様８０の虚像位置と、意匠文字２２の位置の関係を説明する模式図である。ここでは、３次元模様形成部５０が包装対象物２０の外形の表面に密着している。そして、意匠文字２２の前方において矢印で示されるように、ユーザが両眼で３次元模様形成部５０を見るとき、その模様部である水玉模様８０が拡大され、意匠文字２２の背後に虚像として形成される。これによって、上記のように、水玉模様８０の手前に包装対象物２０の意匠文字２２である「ＡＢＣＤ」の文字が浮き出て、３次元のように視認される。
【００６９】
３次元模様形成部５０を包装対象物２０に取り付けるには、粘着層を用いた貼り付けの外に、図６、図７に関連して説明したいくつかの方法を用いることができる。すなわち、模様部を包装対象物２０に設けることができ、またシュリンクフィルムを用いて粘着層を有しない３次元模様形成部あるいはレンズ層のフィルム等を包装対象物２０に固定することもできる。
【図面の簡単な説明】
【００７０】
【図１】本発明に係る実施の形態の包装品の構成を示す図である。
【図２】図１の包装品の各構成要素を分離して示す図である。
【図３】図１の包装品の断面図である。
【図４】本発明に係る実施の形態において、３次元模様形成部の厚さ方向についての断面図である。
【図５】図１の包装品の一部拡大断面図である。
【図６】本発明に係る実施の形態において、包装ケース体の表面に模様部を有し、レンズフィルム体が模様部に位置決めされて、包装ケース体の表面に取り付けられる例を示す図である。
【図７】本発明に係る実施の形態において、シュリンクフィルムを用いてレンズ層を固定する例を示す図である。
【図８】他の実施の形態の包装品の構成を示す図である。
【図９】図８の包装品の断面図である。
【図１０】さらに他の実施の形態の包装品を示す図である。
【図１１】別の実施の形態において、保持体を有する包装品の各構成要素を説明する図である。
【図１２】図１１の包装品の断面図である。
【図１３】さらに別の実施の形態の包装品を示す図である。
【図１４】図１３の包装品の断面図である。
【符号の説明】
【００７１】
１０，９０，１００，１１０，１２０  包装品、２０  包装対象物、２２  意匠文字、２４  プラスチック層、２６  化粧水、３０，４０，９２，１０２，１１２  包装ケース体、３２  透明部、３４  模様部、５０  ３次元模様形成部、５２  透明基体フィルム、５４  模様部、５６  印刷部分、５８  印刷層、５９  透明樹脂、６０  レンズ層、６２  粘着層、６７  溶融樹脂、６８  転写用マスターフィルム、７０  レンズフィルム体、７２  シュリンクフィルム、８０  水玉模様、９４  フラップ部、９６  ラベル、９８  一般表示部、１１４  保持体、１１５  張り出し部。
【図１】
0005115924.tif 000002
【図２】
0005115924.tif 000003
【図３】
0005115924.tif 000004
【図４】
0005115924.tif 000005
【図５】
0005115924.tif 000006
【図６】
0005115924.tif 000007
【図７】
0005115924.tif 000008
【図８】
0005115924.tif 000009
【図９】
0005115924.tif 000010
【図１０】
0005115924.tif 000011
【図１１】
0005115924.tif 000012
【図１２】
0005115924.tif 000013
【図１３】
0005115924.tif 000014
【図１４】
0005115924.tif 000015